(57)【要約】【課題】本発明は、スラッジの影響を受けない簡易な構成で、良好にスラッジを排出可能な技術を提供する。【解決手段】冷却塔の給排水装置１であって、冷却水を貯溜する水槽１０と、水槽１０内の冷却水を排水するための排水配管４０とを具備し、排水配管４０は、水槽１０内の冷却水が流入する第一固定部４１と、第一固定部４１と連通する可動部４３とを有し、第一固定部４１の一端部は、水槽１０の最下部に接続され、第一固定部４１は、その一端部から他端部へ冷却水が流動するように勾配が設けられ、可動部４３の一端部は、第一固定部４１の他端部に接続され、可動部４３の他端部は、開放され、可動部４３は、その他端部が水槽１０内の冷却水の水位よりも高い位置に配置され、冷却水の流動が規制される第一の姿勢と、可動部４３の他端部が可動部４３における最も低い位置に配置され、当該他端部から冷却水が排出される第二の姿勢とを切り替え可能に構成される。【選択図】図１
2015094549.tif 000002
【特許請求の範囲】
【請求項１】
冷却水を冷却する冷却塔の給排水装置であって、
前記冷却水を貯溜する水槽と、
前記水槽に貯留された前記冷却水を排水するための排水配管と、を具備し、
前記排水配管は、
前記水槽に固定され、前記水槽に貯留された前記冷却水が流入する固定部と、
前記固定部と連通する可動部と、を有し、
前記固定部の一端部は、前記水槽の最下部に接続され、
前記固定部は、その一端部から他端部へ前記冷却水が流動するように勾配が設けられ、
前記可動部の一端部は、前記固定部の他端部に接続され、
前記可動部の他端部は、開放され、
前記可動部は、その他端部が前記水槽に貯留された前記冷却水の水位よりも高い位置に配置され、前記冷却水の流動が規制される第一の姿勢と、前記可動部の他端部が前記可動部における最も低い位置に配置され、当該他端部から前記冷却水が排出される第二の姿勢と、を切り替え可能に構成される、
ことを特徴とする、冷却塔の給排水装置。
【発明の詳細な説明】
【技術分野】
【０００１】
本発明は、冷却水を冷却する冷却塔の給排水装置に関する。
【背景技術】
【０００２】
従来、冷凍機の冷却に用いられる冷却水を冷却するための冷却塔が広く知られている。
冷却塔は、冷却水の給水および排水を行う給排水装置を具備する。
【０００３】
給排水装置は、冷却水を貯溜する水槽を具備し、当該水槽に貯溜された冷却水を冷凍機に圧送する。
また、給排水装置は、所定の条件を満たした場合（例えば、水槽に貯溜された冷却水の導電率が所定値に達した場合）、水槽から冷却水を排水すると共に、水槽に新たな冷却水を給水することによって、冷却水の水質を管理する。
【０００４】
このように、冷却塔の給排水装置においては、水槽内の冷却水の水質が管理されているが、水槽の底部にスラッジが堆積し、冷却水と共に冷凍機に圧送されるおそれがある。
【０００５】
特許文献１には、水槽の底部に設けられた配管からポンプによって冷却水を冷凍機に圧送すると共に、当該冷却水の一部を電磁弁の制御によって排水する技術が開示されている。
【０００６】
しかしながら、スラッジが電磁弁の作動不良を引き起こすおそれがある点で不利である。
【先行技術文献】
【特許文献】
【０００７】
【特許文献１】特開平１１−６３７１５号公報
【発明の概要】
【発明が解決しようとする課題】
【０００８】
本発明は、スラッジの影響を受けない簡易な構成で、良好にスラッジを排出可能な技術を提供することを課題とする。
【課題を解決するための手段】
【０００９】
本発明に係る冷却塔の給排水装置は、冷却水を冷却する冷却塔の給排水装置であって、前記冷却水を貯溜する水槽と、前記水槽に貯留された前記冷却水を排水するための排水配管と、を具備し、前記排水配管は、前記水槽に固定され、前記水槽に貯留された前記冷却水が流入する固定部と、前記固定部と連通する可動部と、を有し、前記固定部の一端部は、前記水槽の最下部に接続され、前記固定部は、その一端部から他端部へ前記冷却水が流動するように勾配が設けられ、前記可動部の一端部は、前記固定部の他端部に接続され、前記可動部の他端部は、開放され、前記可動部は、その他端部が前記水槽に貯留された前記冷却水の水位よりも高い位置に配置され、前記冷却水の流動が規制される第一の姿勢と、前記可動部の他端部が前記可動部における最も低い位置に配置され、当該他端部から前記冷却水が排出される第二の姿勢と、を切り替え可能に構成される。
【発明の効果】
【００１０】
本発明によれば、スラッジの影響を受けない簡易な構成で、良好にスラッジを排出できる。
【図面の簡単な説明】
【００１１】
【図１】本発明に係る冷却塔の給排水装置を示す図。
【図２】可動配管の動作態様を示す図。
【図３】本発明に係る冷却塔の給排水装置の別形態を示す図。
【発明を実施するための形態】
【００１２】
以下では、図面を参照して、本発明に係る冷却塔の給排水装置の一実施形態である、冷却塔の給排水装置１について説明する。
【００１３】
まず、前記冷却塔について説明する。
前記冷却塔は、給排水装置１から冷凍機（不図示）に供給されて温度が上昇した冷却水を冷却し、当該冷却された冷却水を給排水装置１に戻すように構成されている。
【００１４】
給排水装置１は、前記冷却塔の下部に設けられ、冷却水の給水および排水を行う装置である。
図１に示すように、給排水装置１は、水槽１０と、給水装置２０と、供給配管３０と、排水配管４０と、姿勢切替装置５０と、導電率計６０と、制御装置７０とを具備する。
なお、説明の便宜上、図１における上下方向を、給排水装置１の上下方向と定義し、図１における左右方向を、給排水装置１の左右方向と定義する。
【００１５】
水槽１０は、冷却水を貯溜する容器であり、上部が開放されている。水槽１０は、その底面の左右方向における中央部が下方に窪んだ形状を有する。つまり、水槽１０の底面は、段状に形成されている。
水槽１０は、第一上段部１０ａと、第二上段部１０ｂと、下段部１０ｃとを有する。
【００１６】
第一上段部１０ａおよび第二上段部１０ｂは、それぞれ水槽１０の左部および右部に位置する。第一上段部１０ａおよび第二上段部１０ｂの底面は、同一の高さに位置すると共に、下段部１０ｃの底面よりも上方に位置する。つまり、第一上段部１０ａおよび第二上段部１０ｂは、下段部１０ｃよりも浅く形成されている。
【００１７】
下段部１０ｃは、水槽１０の左右方向における中央部に位置する。下段部１０ｃの底面は、第一上段部１０ａおよび第二上段部１０ｂの底面よりも下方に位置する。つまり、下段部１０ｃの底面は、水槽１０の最下部に位置する。
【００１８】
給水装置２０は、水槽１０内の冷却水の水位が所定の高さ以下の場合に、比較的水質の良い冷却水を水槽１０に給水するボールタップである。
給水装置２０は、給水配管２１と、給水弁２２と、浮き玉２３とを有する。
【００１９】
給水配管２１は、冷却水が流動する配管であり、冷却水が水槽１０内に向けて吐出される吐出口が設けられている。
【００２０】
給水弁２２は、給水配管２１に設けられた弁である。給水弁２２は、開いた状態では、給水配管２１の吐出口から冷却水が吐出され、閉じた状態では、給水配管２１の吐出口から冷却水が吐出されないように構成されている。
【００２１】
浮き玉２３は、その上下方向の変位により、給水弁２２の状態を切り替え可能に構成されている。浮き玉２３は、水槽１０内の冷却水の水面上に浮かび、水槽１０内の冷却水の水位の変化によって上下方向に移動する。浮き玉２３は、水槽１０内の冷却水の水位が所定の高さより大きい場合、給水弁２２を閉じ、水槽１０内の冷却水の水位が所定の高さ以下の場合、給水弁２２を開く。
【００２２】
供給配管３０は、水槽１０内の冷却水を前記冷凍機に供給するための配管である。供給配管３０は、水槽１０と連通するように、下段部１０ｃの右面に取り付けられている。
供給配管３０には、ポンプ３１が設けられており、ポンプ３１によって冷却水が前記冷凍機に圧送される。
【００２３】
排水配管４０は、水槽１０内の冷却水を排水するための配管である。
排水配管４０は、第一固定部４１と、第二固定部４２と、可動部４３とを有する。
【００２４】
第一固定部４１は、水槽１０の最下部に固定され、冷却水が流動するように傾斜している。詳細には、第一固定部４１の一端部（冷却水の流動方向における上流側の端部）は、水槽１０の下段部１０ｃの底面に接続され、第一固定部４１の他端部（冷却水の流動方向における下流側の端部）は、第一固定部４１における最下部に位置するように配置されている。第一固定部４１は、水槽１０の下段部１０ｃの底面から若干下方に延出し、さらに下方に向かいつつ左方に延出している。
このように、第一固定部４１は、その一端部から他端部へ冷却水が流動するように勾配が設けられている。
【００２５】
第二固定部４２は、水槽１０の第一上段部１０ａから第一固定部４１に冷却水が流動するように設けられている。詳細には、第二固定部４２の一端部（冷却水の流動方向における上流側の端部）は、水槽１０の第一上段部１０ａの底面に接続され、第二固定部４２の他端部（冷却水の流動方向における下流側の端部）は、冷却水の流動方向における第一固定部４１の中途部に接続されている。第二固定部４２は、水槽１０の第一上段部１０ａから第一固定部４１に向けて、上下方向に延出している。
【００２６】
可動部４３は、第一固定部４１に連通し、所定の姿勢に切り替え可能に構成されている。可動部４３の一端部（冷却水の流動方向における上流側の端部）は、連結部材４３ａを介して、第一固定部４１の他端部（冷却水の流動方向における下流側の端部）と接続されている。可動部４３の他端部（冷却水の流動方向における下流側の端部）は、開放され、水槽１０内の冷却水の水位よりも高い位置に配置されている。詳細には、可動部４３は、第一固定部４１の他端部から下方に向かいつつ若干左方に延出し、さらに水槽１０内の冷却水の水位よりも高い位置まで上方に延出している。
連結部材４３ａは、第一固定部４１と可動部４３とを連結する部材であり、可動部４３の姿勢を自在に変更可能に構成されている。連結部材４３ａとしては、例えば、ユニバーサルジョイントを採用可能である。
【００２７】
このように、可動部４３は、連結部材４３ａを介して、第一固定部４１と連結されているため、その姿勢を自在に変更可能となっている。可動部４３は、姿勢切替装置５０によって、その姿勢を変更される。
【００２８】
姿勢切替装置５０は、可動部４３の姿勢を変更するための装置である。姿勢切替装置５０は、可動部４３の所定位置に固定されたワイヤの巻き取りおよび巻き出しを行うことにより、可動部４３の姿勢を変更する。
【００２９】
図２に示すように、姿勢切替装置５０がワイヤを完全に巻き取った場合、可動部４３は、その他端部が水槽１０に貯留された冷却水の水位よりも高い位置に配置され、冷却水の流動が規制される第一の姿勢を取る。また、姿勢切替装置５０がワイヤを完全に巻き出した場合、可動部４３は、その他端部が可動部４３における最も低い位置に配置され、当該他端部から冷却水が排出される第二の姿勢を取る。
例えば、可動部４３を第一の姿勢から第二の姿勢に切り換える際には、姿勢切替装置５０によるワイヤの巻き出しが行われるのに伴い、可動部４３が、その他端部が下降する方向へ、第一固定部４１との連結部（連結部材４３ａ）を中心として回動する。逆に、可動部４３を第二の姿勢から第一の姿勢に切り換える際には、姿勢切替装置５０によるワイヤの巻き取りが行われるのに伴い、可動部４３が、その他端部が上昇する方向へ、第一固定部４１との連結部（連結部材４３ａ）を中心として回動する。
【００３０】
図１に示すように、導電率計６０は、水槽１０内に設けられ、水槽１０内の冷却水の導電率を測定する。
【００３１】
制御装置７０は、ポンプ３１、姿勢切替装置５０、および導電率計６０と電気的に接続されている。制御装置７０は、ポンプ３１を制御し、所定のタイミングで水槽１０内の冷却水を供給配管３０を介して前記冷凍機に供給する。さらに、制御装置７０は、導電率計６０によって測定された、水槽１０内の冷却水の導電率に基づいて、姿勢切替装置５０を制御する。
【００３２】
制御装置７０は、水槽１０内の冷却水の導電率が所定値以下の場合（水槽１０内の冷却水の水質が良好な場合）、排水配管４０の可動部４３が第一の姿勢（冷却水を排水しない姿勢）となるように姿勢切替装置５０を作動させる。一方、制御装置７０は、水槽１０内の冷却水の導電率が所定値より大きい場合（水槽１０内の冷却水の水質が悪化した場合）、排水配管４０の可動部４３が第二の姿勢（冷却水を排水する姿勢）となるように姿勢切替装置５０を作動させる。
【００３３】
前述のように、排水配管４０の第一固定部４１は、水槽１０の最下部（下段部１０ｃの底面）に接続されているため、水槽１０内の冷却水中に生じたスラッジの大部分が第一固定部４１に流入する。さらに、第一固定部４１は、勾配が設けられているため、第一固定部４１に流入したスラッジが第一固定部４１の他端部側へ流動し、最終的に第一の姿勢（冷却水を排水しない姿勢）の可動部４３の最下部に堆積する。
そして、可動部４３が第二の姿勢（冷却水を排水する姿勢）に切り替えられると、可動部４３に堆積したスラッジが冷却水と共に外部に排出されることとなる。
このように、給排水装置１においては、電磁弁等を設けることなく、スラッジの影響を受けない簡易な構成で、良好にスラッジを排出できる。
【００３４】
さらに、排水配管４０の第二固定部４２が、水槽１０の第一上段部１０ａの底面に接続されているため、水槽１０内の冷却水中に生じたスラッジをより効果的に排水配管４０に流入させることができる。
【００３５】
給排水装置１の代わりに、給排水装置２を設けることも可能である。
図３に示すように、給排水装置２は、誘導配管８０を有する点で給排水装置１と異なる。
【００３６】
誘導配管８０は、水槽１０内の冷却水中に生じたスラッジを排水配管４０に誘導させるための配管である。
誘導配管８０は、供給配管３０におけるポンプ３１よりも下流側に接続され、水槽１０内に導入される。誘導配管８０は、水槽１０内において、冷却水の水位よりも低い位置に配置される。
誘導配管８０は、ポンプ３１によって圧送されて供給配管３０内を流動する冷却水の一部を、水槽１０内の冷却水中に噴射させ、冷却水中に排水配管４０に向けた流れを発生させる。
これにより、水槽１０内の冷却水中に生じたスラッジをより効果的に排水配管４０に流入させることができる。
【００３７】
なお、本実施形態においては、導電率計６０によって測定された、水槽１０内の冷却水の導電率に基づいて、冷却水の排水が行われているが、本構成に限定するものではない。
例えば、所定の時間ごと、またはポンプ３１の作動前後に、冷却水の排水を行うことも可能である。
【符号の説明】
【００３８】
１      給排水装置
１０    水槽
１０ａ  第一上段部
１０ｂ  第二上段部
１０ｃ  下段部
２０    給水装置
３０    供給配管
３１    ポンプ
４０    排水配管
４１    第一固定部（固定部）
４２    第二固定部
４３    可動部
４３ａ  連結部材
５０    姿勢切替装置
６０    導電率計
７０    制御装置
【図１】
2015094549.tif 000003
【図２】
2015094549.tif 000004
【図３】
2015094549.tif 000005